(57)【特許請求の範囲】
【請求項１】
親機と、情報処理装置に接続して上記親機と通信可能である子機を有する無線通信システムにおいて、
上記情報処理装置が接続されていることを検知する検知手段と、
上記親機と通信するための登録が、上記親機との間でなされているか否かを判定する判定手段と、
上記判定手段により上記登録がなされていないと判定され、かつ、上記検知手段により上記情報処理装置と接続されていると判定されると、上記登録を行うための処理を行う登録手段と、
を上記子機が有することを特徴とする無線通信システム。
【請求項２】
情報処理装置に接続して通信相手と無線通信する無線機器であって、
上記情報処理装置が接続されていることを検知する検知手段と、
上記親機と通信するための登録が、上記親機との間でなされているか否かを判定する判定手段と、
上記判定手段により上記登録がなされていないと判定され、かつ、上記検知手段により上記情報処理装置と接続されていると判定されると、上記登録を行うための処理を行う登録手段と、
を有することを特徴とする無線機器。
【請求項３】
上記登録手段は、上記登録を行うための処理として、上記登録を行うための登録モードへの移行を行うことを特徴とする請求項２に記載の無線機器。
【請求項４】
上記登録手段は、上記無線機器の電源が投入された際に、上記登録がなされてなく、かつ、上記情報処理装置と接続されている場合に、上記登録を行うための処理を行うことを特徴とする請求項２または請求項３に記載の無線機器。
【請求項５】
上記判定手段は、上記通信相手がメモリに登録されているか否かを判定することを特徴とする請求項２ないし請求項４の何れかに記載の無線機器。
【請求項６】
上記登録手段は、上記通信相手との間で上記登録のためのシーケンスを実行することを特徴とする請求項２ないし請求項５の何れかに記載の無線機器。
【請求項７】
上記登録手段は、上記通信相手を上記無線機器に登録する処理を行うことを特徴とする請求項２ないし請求項６の何れかに記載の無線機器。
【請求項８】
上記登録手段は、上記通信相手に上記無線機器を登録する処理を行うことを特徴とする請求項２ないし請求項７の何れかに記載の無線機器。
【請求項９】
上記登録手段は、登録モードで動作している通信相手を探し、上記登録モードで動作する通信相手との間で上記登録を行うための処理を行うことを特徴とする請求項２ないし請求項８の何れかに記載の無線機器。
【請求項１０】
上記検知手段は、上記情報処理装置と上記無線機器との間に接続する装置からの通知に基づいて、上記情報処理装置が接続されていることを検知することを特徴とする請求項２ないし請求項９の何れかに記載の無線機器。
【請求項１１】
情報処理装置に接続して通信相手と無線通信する無線機器の制御方法であって、
上記情報処理装置が接続されていることを検知するための検知工程と、
上記親機と通信するための登録が、上記親機との間でなされているか否かを判定するための判定工程と、
上記判定工程において上記登録がなされていないと判定され、かつ、上記検知工程において上記情報処理装置と接続されていると判定されると、上記登録を行うための処理を開始する工程と、
を有することを特徴とする無線機器の制御方法。
【発明の詳細な説明】
【０００１】
【発明の属する技術分野】
本発明は、無線通信のための機器登録に関する。
【０００２】
【従来の技術】
従来、無線通信システムにおいては、親機と子機との間で混信なく通信を行うために、いわゆる「登録」という操作が行われている。
【０００３】
親機、子機の登録とは、たとえば、それぞれ固有に有するＩＤ番号を互いに通知し合い、メモリ内に記憶する操作である。
【０００４】
この登録を実行することによって、その後に通信を行う場合に、これらのＩＤ番号をお互いに確認した後に、通信路をひらくことができ、これによって、誤接続を防ぐことができる。
【０００５】
このような、親機と子機との間で通信を可能にするための登録を実行する方法として、工場での出荷時に、特殊な治具等を用いて、予め登録する方法や、市場において、任意の子機、親機の間で通信可能にするために、特殊なオペレーションを行い、登録モードに設定した後に、上記登録の操作を行う方法が知られている。
【０００６】
たとえば、子機の通話ボタンや、ダイヤルキーのうちの所定の数字キーを押下しながら、電源を入れると、上記登録が可能になる登録モードになる。
【０００７】
【発明が解決しようとする課題】
上記従来例のうちで、工場出荷時に親機と子機とを登録しておく方法では、出荷された後に、子機を増設したい場合等のように、親機と子機とを任意に組み合わせ、この任意の組み合わせで通信を行うためには、親機、子機を一度工場に戻す必要があり、工場に戻す手順が煩雑であるという問題がある。
【０００８】
また、子機のボタンを押下しながら電源を投入することによって、登録する方法では、外部にボタンを持たない構造の親機、子機では、上記登録を実行することができないという問題がある。
【０００９】
本発明は、出荷後に、機器を任意に組み合わせ、この任意の組み合わせで通信する場合、機器を工場に戻さなくても、混信なく通信を行うための登録を実行することができ、また、外部にボタンを持たない機器でも上記登録を実行することができるようにすることを目的とする。
【００１０】
【課題を解決するための手段】
情報処理装置に接続して通信相手と無線通信する無線機器であって、通信相手と通信するための登録が、上記通信相手との間でなされていないと判定され、かつ、上記情報処理装置との接続が検知されると、通信相手との間で、通信相手と通信するための登録を行うための処理を行う。
【００１１】
【発明の実施の形態および実施例】
図１は、本発明の第１の実施例である無線通信システム１００の構成を示す図である。
【００１２】
無線通信システム１００は、公衆回線を収容し、子機１０と無線通信可能な親機２０と、親機２０と通信可能な子機１０と、子機１０に接続され、この子機１０を介して、親機２０との間でデータの送受が可能な情報処理装置４０とを有する。親機２０は、公衆網３０に接続される。
【００１３】
図２は、無線通信システム１００における子機１０の構成を示すブロック図である。
【００１４】
子機１０は、無線を送受する無線部１１を有し、無線部１１は、アンテナ１０Ａを介して、電波の送受を行い、送信部１１Ｔと受信部１１Ｒとを有する。信号処理部１２は、受信した信号を検波し、デジタル信号に変換するとともに、時分割処理部１３から受信したデジタル信号を無線で送信するために変調する信号処理部である。
【００１５】
時分割処理部１３は、送信データ処理部からのデータを時分割多重通信方式に組立てるとともに、受信した時分割多重通信方式のデータを制御情報とデータ通信のデータに分解し、データは受信データ処理部１４Ｒに送る時分割処理部である。
【００１６】
データ処理部１４は、送信データ処理部１４Ｔと受信データ処理部１４Ｒとによって構成されている。送信データ処理部１４Ｔは、送信するデータに順序番号や、誤り訂正のビットを付加する送信データ処理部である。受信データ処理部１４Ｒは、受信したデータから誤り訂正や順序番号をはずす処理をおこなう受信データ処理部である。
【００１７】
制御部１５は、送受信のデータ処理を含む子機１０全体の制御を行う制御部である。
【００１８】
メモリ１６は、送受信データを一時記憶するとともに、通信相手の親機２０が登録されているか否かを示す情報と、通信相手となる親機２０の情報とを記憶するメモリである。
【００１９】
データ通信インタフェース１７は、情報処理装置４０とのデータの送受を行うデータ通信インタフェースであり、電源１８は、子機１０を動作させる電源であり、接続検知部１０Ｄは、情報処理装置４０が接続されているか否かを検知する接続検知部であり、表示部１９は、エラー表示等を行う表示部である。
【００２０】
つまり、子機１０は、情報処理装置４０が接続されていることを検知する接続検知手段と、親機２０との間で通信を行うことが可能になるための登録がなされているか否かを判定する登録判定手段と、子機１０に電源が投入された際に、親機２０との通信を可能にするための登録がなされていない状態であり、しかも、情報処理装置４０と接続されていると判定されたときに、上記登録を行うことができる登録モードに移行させる登録モード移行手段とを有する子機の例である。
【００２１】
次に、上記実施例の動作について説明する。
【００２２】
図３は、上記実施例の動作を示すフローチャートである。
【００２３】
まず、子機１０の電源が投入されると（Ｓ２）、子機１０は、メモリ１６の内容を読み、親機２０に登録済の状態であるか否かを判定する（Ｓ３）。子機１０が親機２０に既に登録されていると、通常の動作として、待ちうけ状態に移行する（Ｓ４）。通信相手となる親機２０が登録されていない状態である場合には、接続検知部１０Ｄの情報を読み込み、子機１０が接続される情報処理装置４０が接続された状態であるか否かを判定する（Ｓ５）。情報処理装置４０に接続されていないと判定されると（Ｓ５）、フローの開始の状態に戻る。情報処理装置４０に接続されていると判定されると（Ｓ５）、子機１０は登録モードに移行する（Ｓ６）。なお、上記登録モードは、親機との間で通信を行うことが可能になるための登録を行うことができるモードである。
【００２４】
登録モードに移行した子機１０は、受信部１１Ｒを動作させ、登録モードになっている親機２０からの報知信号を探す。登録モードの親機２０がない場合は、一定時間の経過後に（Ｓ８）、エラー表示を行う（Ｓ１３）。
【００２５】
登録モードの親機２０がある場合（Ｓ７）、登録シーケンスを開始し（Ｓ９）、親機２０が登録しようとしている相手は、自分であるのか否かを、シーケンスの中で判定しながら、シーケンスを進める。親機２０から必要な情報が来ない等の理由でシーケンスが停止し、一定時間が経過しても登録が終了しない場合（Ｓ１２）、エラー表示を出し、終了する（Ｓ１３）。
【００２６】
正常に登録が終了した場合（Ｓ１０）、終了になる（Ｓ１１）。正常に終了すると（Ｓ１１）、親機２０、子機１０は、それぞれが固有に持つＩＤ番号等の情報を、メモリ１６に記憶することができ、以降は、登録した親機２０、子機１０は、混信なく通信することができる。
【００２７】
次に、図３に示す動作と同じ動作を、親機２０の操作を含めて説明する。
【００２８】
図４は、親機２０の操作を含めた登録シーケンスを示す図である。
【００２９】
ここで、親機２０には、操作部としてのキーボードが設けられているか、または、外部にキーボードを接続することができ、以後の説明では、キーボードが接続された状態であるとし、また、登録シーケンスの進行状況を表示する表示部を有するものとする。
【００３０】
子機１０の電源を投入（Ｓ２１）した際に、子機１０が、親機２０と登録されていない状態であり、しかも、情報処理装置４０と接続されていないと判断した場合、子機１０は、自動的に登録を行うための待ちうけを開始する（Ｓ２２）。
【００３１】
親機２０のキーボードから、登録モードに移行する操作が行われると、登録が開始され（Ｓ２３）、この登録が開始されると、登録モードであることを意味する「ＳＯＭＯＤＥ」と表示され（Ｓ２４）、続いて、子機１０を内線番号の何番に登録するかについて、入力を促す「ＰＳＮｏ？」が表示される（Ｓ２５）。
【００３２】
ここで、操作者は、何番の子機１０として登録するかを入力する。図４では、１１番として登録するとした。ＰＳＮｏを入力すると（Ｓ２６）、次は、暗証番号の入力を促す「ＰＳＩＤ？」が表示され（Ｓ２７）。ここでは、複数の子機１０が登録状態となっている際に、意図しない子機１０が登録されることを防ぐために、暗証番号として子機１０のＩＤを入力する。図４では、子機１０のＩＤとして、１２３４５６７８９を入力する。
【００３３】
暗証番号としてのＰＳＩＤを入力すると（Ｓ２８）、登録動作中であることを意味する「ＲＵＮＮＩＮＧ」を表示し（Ｓ２９）、親機２０は、登録のための報知信号を送出する（Ｓ３０）。この報知信号を受信した子機１０は、親機２０との間で、登録シーケンスを実行し（Ｓ３１）、これを終了すると、親機２０は、表示部に登録終了を意味する「ＣＯＭＰＬＥＴＥ」を表示する（Ｓ３２）。
【００３４】
上記動作を行うことによって、操作部のない子機１０であっても、親機２０を登録することができる。
【００３５】
図５は、本発明の第２の実施例である子機１０ａと発着信制御部５０とを示すブロック図である。
【００３６】
子機１０ａは、基本的には子機１０と同じであるが、接続検知部１０Ｄが削除されている点と、発着信制御部５０に接続されている点と、データ通信インタフェース１７の代わりにデータ通信インタフェース１７ａが設けられている点とが、子機１０とは異なる。データ通信インタフェース１７ａは、発着信制御部５０とのデータ通信インタフェースである。
【００３７】
発着信制御部５０は、発着信制御部５０の全体を制御する制御部５１と、情報処理装置４０の接続を検知する接続検知部５２と、情報処理装置４０とデータの送受を行うデータ通信インタフェース５３と、情報処理装置４０の接続の通知の情報を含むデータの送受を行うデータ通信インタフェース５４とを有する。
【００３８】
子機１０では、情報処理装置４０の接続を検知する接続検知部１０Ｄは、子機１０内部に設けられているが、子機１０ａを使用する場合、子機１０ａには、発着信制御機能を実行する制御部１５のみが接続されているものとし、情報処理装置４０は、当該制御装置に接続する構成であっても、情報処理装置４０が接続されたか否かは、発着信を行う制御部５１を介して行われるので、子機１０における効果と同様の効果を、子機１０ａでも、得ることができる。
【００３９】
上記実施例によれば、所定の回線を収容する親機２０と、無線回線を介して、親機２０と通信可能である子機であって、情報処理装置４０と接続して使用する子機１０とによって構成される無線通信システムにおいて、子機１０は、情報処理装置が接続されていることを検知する接続検知手段と、親機との間で通信を行うことが可能になるための登録がなされているか否かを判定する登録判定手段と、上記子機に電源が投入された際に、上記親機との通信を可能にするための登録がなされていない状態であり、しかも、上記情報処理装置と接続されていると判定されたときに、上記登録を行うことができる登録モードに移行させる登録モード移行手段とを有するので、情報処理装置４０に接続して使用する形態で、ダイヤルキーや通話キーがない無線通信システムの子機１０、または、外部に発着信制御を行う制御部を有し、該制御部に情報処理装置４０に接続して使用する形態で、ダイヤルキーや通話キーがない無線通信システムの子機１０においても、特殊な治具を用いなくても、上記登録操作を実行することができる。
【００４０】
上記説明によれば、出荷後に、親機と子機とを任意に組み合わせ、この任意の組み合わせで通信する場合、親機、子機を工場に戻さなくても、親機と子機との間で混信なく通信を行うための登録を実行することができ、また、外部にボタンを持たない親機、子機でも上記登録を実行することができできるという効果を奏する。
【発明の効果】
本発明によれば、出荷後に、機器を任意に組み合わせ、この任意の組み合わせで通信する場合、機器を工場に戻さなくても、混信なく通信を行うための登録を実行することができ、また、外部にボタンを持たない機器でも上記登録を実行することができるという効果を奏する。
【図面の簡単な説明】
【図１】本発明の第１の実施例である無線通信システム１００の構成を示す図である。
【図２】無線通信システム１００における子機１０の構成を示すブロック図である。
【図３】上記実施例の動作を示すフローチャートである。
【図４】親機２０の操作を含めた登録シーケンスを示す図である。
【図５】本発明の第２の実施例である子機１０ａと発着信制御部５０とを示すブロック図である。
【符号の説明】
１００…無線通信システム、
１０…子機、
１１…無線部、
１２…信号処理部、
１３…時分割処理部、
１４…データ処理部、
１５…制御部、
１６…メモリ、
１７…データ通信インタフェース、
１８…電源、
１９…表示部、
１０Ｄ…接続検知部、
２０…親機、
３０…公衆網、
４０…情報処理装置。
【図１】
0004484380.tif 000002
【図２】
0004484380.tif 000003
【図３】
0004484380.tif 000004
【図４】
0004484380.tif 000005
【図５】
0004484380.tif 000006